(57)【要約】【課題】衝撃を受けても内部に収納される一種または一種の液体が滲むことをあまり生じないようにする。【解決手段】内部には所定の量の第一の液体３と第二の液体４が収納され、且つある粘性物質５によって第一の液体３と第二の液体４とを隔離させ、且つ密閉端部の近傍には打開機構６が配設される長尺状の管状ケーシング１と、長尺状の管状ケーシング１の前記打開端部６近傍に配設され、前記第二の液体４を収納する箇所より前記の長尺状の管状ケーシングの打開端部までガイド・ホール１０が形成される耐衝撃式塞ぎ部材９とからなる。【選択図】図１。
0003107573.tif 000002
【実用新案登録請求の範囲】
【請求項１】
一端が密閉され、その内部には所定の量の第一の液体と第二の液体が収納され、且つある粘性物質によってそれらの第一の液体と第二の液体とを隔離させ、且つ前記の第一の液体が前記の密閉端部に近接し、且つ前記の密閉端部の近傍には打開機構が配設されるようにした、長尺状の管状ケーシングと、
前記の長尺状の管状ケーシングの前記打開端部近傍に配設され、且つ前記第二の液体を収納する箇所より前記の長尺状の管状ケーシングの打開端部までガイド・ホールが形成されるようにした、耐衝撃式塞ぎ部材と、を備えており、
前記の長尺状の管状ケーシングの中では、前記打開機構より空気を前記の長尺状の管状ケーシング内に導入することによって前記の第一と第二の液体が前記の長尺状の管状ケーシングから放出させるようにしたことを特徴とする、
耐衝撃式塗布装置。
【請求項２】
前記の耐衝撃式塞ぎ部材におけるガイド・ホールに対し、蝋製栓体によって密閉され、且つ前記の長尺状の管状ケーシングに湾曲及び圧縮等の力を加えることにより前記のガイド・ホールを開放することができるようにしたことを特徴とする、
請求項１に記載の耐衝撃式塗布装置。
【請求項３】
前記第二の液体から前記の長尺状のケーシングの打開端部までは、線状以外の形状の経路であることを特徴とする、
請求項１に記載の耐衝撃式塗布装置。
【請求項４】
前記の耐衝撃式塞ぎ部材におけるガイド・ホールとして、前記の耐衝撃式塞ぎ部材の外表面に形成される螺旋状チャネルと前記の長尺状の管状ケーシングの内表面との間の界面部分に形成される螺旋状の経路を利用することを特徴とする、
請求項１に記載の耐衝撃式塗布装置。
【請求項５】
前記の第二の液体と前記の耐衝撃式塞ぎ部材との間には、第二の粘性物質が配設され、それによって前記の第二の液体を隔離することにより前記の第二の液体が揮発してしまうことを防止するように作用することを特徴とする、
請求項１に記載の耐衝撃式塗布装置。
【請求項６】
一端が密閉され、内部には複数種の液体と複数種の粘性物質を有し、それらが交互になるように配設され、且つ複数個の決められた位置に配設される打開機構を備え、前記のそれぞれの液体をもう一端の打開端部より放出させるようにした、長尺状の管状ケーシングと、
前記の長尺状の管状ケーシングの打開端部近傍に配設され、前記打開端部近傍より前記の打開端部までガイド・ホールを形成するようにした、耐衝撃式塞ぎ部材と、を備えており、
その中では、前記の液体が、前記打開機構を介して空気を前記の長尺状の管状ケーシング内に導入することによって前記長尺状の管状ケーシングから放出されるようにしたことを特徴とする、
不揮発性液体収納用耐衝撃式塗布装置。
【請求項７】
前記の耐衝撃式の塞ぎ部材のガイド・ホールは蝋製栓体によって封止され、前記の長尺状の管状ケーシングに湾曲または圧縮等の力を加えることにより前記ガイド・ホールを開放することができるようにしたことを特徴とする、
請求項６に記載の不揮発性液体収納用耐衝撃式塗布装置。
【請求項８】
前記の液体から前記の長尺状の管状ケーシングの打開端部までは、直線以外の形状の経路であることを特徴とする、
請求項６に記載の不揮発性液体収納用耐衝撃式塗布装置。
【請求項９】
前記の耐衝撃式塞ぎ部材におけるガイド・ホールとして前記の耐衝撃式塞ぎ部材の外表面に形成される螺旋状チャネルと前記の長尺状の管状ケーシングの内表面との間の界面部分に形成される螺旋状の経路を利用することを特徴とする、
請求項６に記載の不揮発性液体収納用耐衝撃式塗布装置。
【請求項１０】
前記耐衝撃式プラグと前記液体との間には粘性物質が配設され、それによって前記の液体を隔離し、液体の揮発を防止することを特徴とする、
請求項６に記載の不揮発性液体収納用耐衝撃式塗布装置。
【請求項１１】
長尺状の管状ケーシングを備え、その一端部が密閉され、その内径が前記密閉端部から反対側の打開端部まで先細りになるように形成されるとともに、第一と第二の液体を含んでおり、且つそれらの第一と第二の液体がある粘性物質によって隔離され、且つ前記密閉端部の近傍には打開機構が配設され、その打開機構より空気を前記の長尺状の管状ケーシングの内方へ導入でき、その導入によって前記の第一と第二の液体を前記の長尺状の管状ケーシングのもう一端の打開端部より放出させることを特徴とする、
不揮発性液体収納用耐衝撃式塗布装置。
【請求項１２】
前記の長尺状の管状ケーシングの打開端部には、蝋製栓体によって封止され、前記の長尺状の管状ケーシングに湾曲または圧縮等の力を加えることにより前記の打開端部を開放することができることを特徴とする、
請求項１１に記載の不揮発性液体収納用耐衝撃式塗布装置。
【請求項１３】
一端部が密閉され、且つ所定の量の第一と第二の液体が収納され、且つ前記の第一の液体が前記密閉端部に近接するように設定され、且つ前記の長尺状の管状ケーシングの前記第一と第二の液体の間の界面部位に近接する部位が径が細く設定され、前記第一と第二の液体を隔離させるように設定し、且つその密閉端の近傍の箇所には打開機構が配設されるようにした、長尺状の管状ケーシングと、
前記の長尺状の管状ケーシング内の前記打開端部に近接する箇所に配設され、前記第二の液体から前記の長尺状の管状ケーシングの打開端部までのガイド・ホールが形成されるようにした、耐衝撃式塞ぎ部材と、を備えており、
その中では、前記の第一と第二の液体が、前記打開機構を介して前記の長尺状の管状ケーシングの内方へ空気を導入することによって前記の長尺状の管状ケーシングの他の打開端部より放出され、前記の長尺状の管状のケーシングの外方へ流れ出されることを特徴とする、
不揮発性液体収納用耐衝撃式塗布装置。
【請求項１４】
前記の耐衝撃式の塞ぎ部材のガイド・ホールには、蝋製栓体によって封止され、前記の長尺状の管状ケーシングを湾曲または圧縮等の力を加えることにより前記ガイド・ホールを開放することができるようにしたことを特徴とする、
請求項１３に記載の不揮発性液体収納用耐衝撃式塗布装置。
【請求項１５】
前記の耐衝撃式プラグのガイド・ホールが、前記の第二の液体から前記の長尺状の管状ケーシングの打開端部までの部分においては、直線以外の形状の経路であることを特徴とする、
請求項１３に記載の不揮発性液体収納用耐衝撃式塗布装置。
【請求項１６】
前記の耐衝撃式塞ぎ部材におけるガイド・ホールとして前記の耐衝撃式塞ぎ部材の外表面に形成される螺旋状チャネルと前記の長尺状の管状ケーシングの内表面との間の界面部分に形成される螺旋状の経路を利用することを特徴とする、
請求項１３に記載の不揮発性液体収納用耐衝撃式塗布装置。
【請求項１７】
前記耐衝撃式プラグと前記第二の液体との間には第二の粘性物質が配設され、それによって前記の第二の液体と前記の耐衝撃式プラグとを隔離することを特徴とする、
請求項１３に記載の不揮発性液体収納用耐衝撃式塗布装置。
【考案の詳細な説明】
【技術分野】
【０００１】
本考案は、不揮発性液体収納用耐衝撃式塗布装置に係わり、特に耐衝撃機能を有する塞ぎ部材を配設することによって、長尺状の管状のケーシングを地面に落下させてしまった場合、その内部に充填される液体が滲み出すようになることがないようにした、不揮発性液体収納用耐衝撃式塗布装置に関するものである。
【背景技術】
【０００２】
ほうき式の塗布装置は、通常、管状の握持ロッドを有し、その両端部またはその一端には吸収性の先端部が形成され、その吸収性の先端部として綿や他の泡沫吸収性の物質からなるものを使用し、その先端部としてブラシのようなものを使用してもよい。また、前記の管状の握持ロッドとして木製や紙製やプラスチック製などの材料を使用でき、中実物または中空物などを好適に選択使用でき、また、前記のほうき式の塗布装置の用途がかなり広範的であり、一種の便利的で衛生的な道具であり、複数種の物質、例えば、液体や洗剤やクリームや他の各種の化学物品と薬剤などに応用できる。
【考案の開示】
【考案が解決しようとする課題】
【０００３】
本考案は、耐衝撃式プラグに小さいガイド・ホールを導入することによって液体の表面張力を強化し、液体を長尺状の管状のケーシングへ流れ難く形成させる不揮発性液体収納用耐衝撃塗布装置を提供することをその主要な目的とする。
【０００４】
また、本考案は、粘性物質の隔離作用を提供することによって、長尺状の管状ケーシングに対しそれぞれ異なる種類の液体を収納可能に形成させるとともに、それらの液体の揮発を防止可能な不揮発性液体収納用耐衝撃用塗布装置を提供することをその第二の目的とする。
【課題を解決するための手段】
【０００５】
上記のような従来の課題を解決した本願の第１の考案は、  耐衝撃式塗布装置において、
一端が密閉され、その内部には所定の量の第一の液体と第二の液体が収納され、且つある粘性物質によってそれらの第一の液体と第二の液体とを隔離させ、且つ前記の第一の液体が前記の密閉端部に近接し、且つ前記の密閉端部の近傍には打開機構が配設されるようにした、長尺状の管状ケーシングと、前記の長尺状の管状ケーシングの前記打開端部近傍に配設され、且つ前記第二の液体を収納する箇所より前記の長尺状の管状ケーシングの打開端部までガイド・ホールが形成されるようにした、耐衝撃式塞ぎ部材と、を備えており、前記の長尺状の管状ケーシングの中では、前記打開機構より空気を前記の長尺状の管状ケーシング内に導入することによって前記の第一と第二の液体が前記の長尺状の管状ケーシングから放出させるようにしたことを特徴とする。
【０００６】
本願の第２の考案は、前記した第１の考案の耐衝撃式塗布装置において、前記の耐衝撃式塞ぎ部材におけるガイド・ホールに対し、蝋製栓体によって密閉され、且つ前記の長尺状の管状ケーシングに湾曲及び圧縮等の力を加えることにより前記のガイド・ホールを開放することができるようにしたことを特徴とする。
【０００７】
本願の第３の考案は、前記した第１の考案の耐衝撃式塗布装置において、前記第二の液体から前記の長尺状のケーシングの打開端部までは、直線以外の形状の経路であることを特徴とする。
【０００８】
本願の第４の考案は、前記した第１の考案の耐衝撃式塗布装置において、前記の耐衝撃式塞ぎ部材におけるガイド・ホールとして、前記の耐衝撃式塞ぎ部材の外表面に形成される螺旋状チャネルと前記の長尺状の管状ケーシングの内表面との間の界面部分に形成される螺旋状の経路を利用することを特徴とする。
【０００９】
本願の第５の考案は、前記した第１の考案の耐衝撃式塗布装置において、前記の第二の液体と前記の耐衝撃式塞ぎ部材との間には、第二の粘性物質が配設され、それによって前記の第二の液体を隔離することにより前記の第二の液体が揮発してしまうことを防止するように作用することを特徴とする。
【００１０】
本願の第６の考案は、不揮発性液体収納用耐衝撃式塗布装置において、一端が密閉され、内部には複数種の液体と複数種の粘性物質を有し、それらが交互になるように配設され、且つ複数個の決められた位置に配設される打開機構を備え、前記のそれぞれの液体をもう一端の打開端部より放出させるようにした、長尺状の管状ケーシングと、前記の長尺状の管状ケーシングの打開端部近傍に配設され、前記打開端部近傍より前記の打開端部までガイド・ホールを形成するようにした、耐衝撃式塞ぎ部材と、を備えており、その中では、前記の液体が、前記打開機構を介して空気を前記の長尺状の管状ケーシング内に導入することによって前記長尺状の管状ケーシングから放出されるようにしたことを特徴とする。
【００１１】
本願の第７の考案は、前記した第６の考案の不揮発性液体収納用耐衝撃式塗布装置において、前記の耐衝撃式の塞ぎ部材のガイド・ホールは蝋製栓体によって封止され、前記の長尺状の管状ケーシングに湾曲または圧縮等の力を加えることにより前記ガイド・ホールを開放することができるようにしたことを特徴とする。
【００１２】
本願の第８の考案は、前記した第６の考案の不揮発性液体収納用耐衝撃式塗布装置において、前記の液体から前記の長尺状の管状ケーシングの打開端部までは、直線以外の形状の経路であることを特徴とする。
【００１３】
本願の第９の考案は、前記した第６の考案の不揮発性液体収納用耐衝撃式塗布装置において、前記の耐衝撃式塞ぎ部材におけるガイド・ホールとして前記の耐衝撃式塞ぎ部材の外表面に形成される螺旋状チャネルと前記の長尺状の管状ケーシングの内表面との間の界面部分に形成される螺旋状の経路を利用することを特徴とする。
【００１４】
本願の第１０の考案は、前記した第６の考案の不揮発性液体収納用耐衝撃式塗布装置において、前記耐衝撃式プラグと前記液体との間には粘性物質が配設され、それによって前記の液体を隔離し、液体の揮発を防止することを特徴とする。
【００１５】
本願の第１１の考案は、不揮発性液体収納用耐衝撃式塗布装置において、長尺状の管状ケーシングを備え、その一端部が密閉され、その内径が前記密閉端部から反対側の打開端部まで先細りになるように形成されるとともに、第一と第二の液体を含んでおり、且つそれらの第一と第二の液体がある粘性物質によって隔離され、且つ前記密閉端部の近傍には打開機構が配設され、その打開機構より空気を前記の長尺状の管状ケーシングの内方へ導入でき、その導入によって前記の第一と第二の液体を前記の長尺状の管状ケーシングのもう一端の打開端部より放出させることを特徴とする。
【００１６】
本願の第１２の考案は、前記した第１１の考案の不揮発性液体収納用耐衝撃式塗布装置において、前記の長尺状の管状ケーシングの打開端部には、蝋製栓体によって封止され、前記の長尺状の管状ケーシングに湾曲または圧縮等の力を加えることにより前記の打開端部を開放することができることを特徴とする。
【００１７】
本願の第１３の考案は、不揮発性液体収納用耐衝撃式塗布装置において、一端部が密閉され、且つ所定の量の第一と第二の液体が収納され、且つ前記の第一の液体が前記密閉端部に近接するように設定され、且つ前記の長尺状の管状ケーシングの前記第一と第二の液体の間の界面部位に近接する部位が径が細く設定され、前記第一と第二の液体を隔離させるように設定し、且つその密閉端の近傍の箇所には打開機構が配設されるようにした、長尺状の管状ケーシングと、前記の長尺状の管状ケーシング内の前記打開端部に近接する箇所に配設され、前記第二の液体から前記の長尺状の管状ケーシングの打開端部までのガイド・ホールが形成されるようにした、耐衝撃式塞ぎ部材と、を備えており、その中では、前記の第一と第二の液体が、前記打開機構を介して前記の長尺状の管状ケーシングの内方へ空気を導入することによって前記の長尺状の管状ケーシングの他の打開端部より放出され、前記の長尺状の管状のケーシングの外方へ流れ出されることを特徴とする。
【００１８】
本願の第１４の考案は、前記した第１３の考案の不揮発性液体収納用耐衝撃式塗布装置において、前記の耐衝撃式の塞ぎ部材のガイド・ホールには、蝋製栓体によって封止され、前記の長尺状の管状ケーシングを湾曲または圧縮等の力を加えることにより前記ガイド・ホールを開放することができるようにしたことを特徴とする。
【００１９】
本願の第１５の考案は、前記した第１３の考案の不揮発性液体収納用耐衝撃式塗布装置において、前記の耐衝撃式プラグのガイド・ホールが、前記の第二の液体から前記の長尺状の管状ケーシングの打開端部までの部分においては、直線以外の形状の経路であることを特徴とする。
【００２０】
本願の第１６の考案は、前記した第１３の考案の不揮発性液体収納用耐衝撃式塗布装置において、前記の耐衝撃式塞ぎ部材におけるガイド・ホールとして前記の耐衝撃式塞ぎ部材の外表面に形成される螺旋状チャネルと前記の長尺状の管状ケーシングの内表面との間の界面部分に形成される螺旋状の経路を利用することを特徴とする。
【００２１】
本願の第１７の考案は、前記した第１３の考案の不揮発性液体収納用耐衝撃式塗布装置において、前記耐衝撃式プラグと前記第二の液体との間には第二の粘性物質が配設され、それによって前記の第二の液体と前記の耐衝撃式プラグとを隔離することを特徴とする。
【００２２】
前記のそれぞれの目的を図るために、本考案は、一種の不揮発性液体収納用耐衝撃式塗布装置を提供し、そのものには、長尺状の管状ケーシングを有し、当該長尺状の管状ケーシングの一端が密閉され、且つある粘性物質を介してその内方に包まれる第一の液体と第二の液体を隔離し、且つ前記の第一の液体が前記の密閉端部に近接するように設定される。また、その長尺状の管状ケーシングには、その密閉端部近傍には打開機構を有し、その打開機構が打開される場合に、その包まれる第一と第二の液体を放出させることができる。また、ある耐衝撃式プラグが前記の長尺状の管状ケーシングの内部に配設され、且つ前記の打開端部に近接し、且つ前記の第二の液体の保存箇所より前記の長尺状の管状ケーシングの打開端部まで小さいガイド・ホールを導通配設し、前記の耐衝撃式プラグの外径が丁度長尺状の管状のケーシングの打開端部の内径に等しくなり、そのため、前記の耐衝撃式プラグによってその打開端部を密閉する場合に、第二液体の打開端部と耐衝撃式プラグの小さいガイド・ホールの表面張力を増加でき、使用の際に粗忽して地面に落下させた場合に長尺状の管状ケーシングが衝撃を受けるため、不揮発性の第二の液体が長尺状の管状ケーシングより流れ出ることを防止できる。もし、前記の第二の液体が揮発性液体に属する場合では、前記の第二の液体と耐衝撃式プラグとの間に他の粘性物質を配設することによって前記の第二の液体が揮発してしまうことを効果的に防止できる。
【考案の効果】
【００２３】
本考案の提供する不揮発性液体収納用耐衝撃式塗布装置と他の従来技術と比較する場合では、さらに下記のような優れた点を有することが分かる：
（１）本考案は、耐衝撃式プラグにおける小さいガイド・ホールを介して液体の表面張力を拡大することによって長尺状の管状ケーシングが粗忽して地面に落下される場合に、その液体が長尺状の管状ケーシングより滲み出ることが発生しがたいようにするものである。
（２）本考案は、粘性物質によって液体を隔離するものであり、長尺状の管状ケーシングの中には各種の液体を収納でき、且つそれらの液体の揮発することを効果的に防止できる。
【００２４】
本考案の内容とその技術効果とその目的をさらに詳しく開示するために、以下に添付図面を参照しながら、本考案の優れる実施の形態を詳細的で具体的に説明する。
【考案を実施するための最良の形態】
【００２５】
図１においては、本考案の第一の実施の形態を示しており、この実施の形態においては、不揮発性液体収納用耐衝撃式塗布装置には、ほうき式の塗布装置を具備し、そのものには、密閉端部２を有する長尺状の管状ケーシング１を有し、且つその長尺状の管状のケーシング１の内方に第一と第二の液体３，４を包み、それらの第一と第二の液体３，４が粘性物質５を介して隔離され、前記の第一の液体３が前記の長尺状の管状ケーシングの密閉端部２近傍に配設されている。また、前記の長尺状の管状ケーシング１には、前記の密閉端部２の近傍に配設される打開機構６を有し、包まれる第一と第二の液体３，４を長尺状の管状ケーシング１の他の打開端部８の塗布装置７の先端部へ放出する。また、その粘性物質５としてシリカゲルや他の物質を好適に使用でき、この種の粘性物質が二種類の液体３，４を隔離できるが、第一の液体３が前記の打開機構６が打開される場合に、大気圧力を前記の長尺状の管状ケーシング１の密閉端部近傍に導入する場合に、その第一の液体３を前記の粘性物質５を経過させることができる。また、前記の打開機構６として簡単に線条の描きものや、小径の断面部や他の適当な打開手段などを好適に採用でき、打開時に、空気を前記の長尺状の管状ケーシング１の密閉端部２へ流れ込ませることができる。
【００２６】
また、ある耐衝撃式プラグ９が前記の長尺状の管状ケーシング１の打開端部近傍に配設され、且つ第二の液体４より塗布装置の先端部７まで小さいガイド・ホール１０を形成し、図２に示すようである。そのガイド・ホール１０として前記の長尺状の管状ケーシング１に形成される、その内径部に近接する直線状のガイド・ホールまたは螺旋状のガイド・ホールを好適に採用できる。また、その耐衝撃式の塞ぎ部材９の長さとガイド・ホール１０の径を選択設定することによってそれらの第一と第二の液体３，４の長尺状管状ケーシング１より流れ出る流動率を制御できる。
【００２７】
前記の打開機構６が前記の長尺状の管状ケーシング１内に大気を導入し、第一と第二の液体３，４を塗布装置の先端部７へ放出する場合に、液体３，４に濡れられる塗布装置７の先端部が任意の表面に対し塗布を実行することができる。その塗布装置７の先端部として任意の吸収性材料、例えば、綿やスポンジなどからなるものを好適に使用でき、ブラシの状態に作ってもよい。
【００２８】
前記の耐衝撃式塞ぎ部材９の外径が前記の長尺状の管状ケーシング１の打開端部８の内径とほぼ等しくなっており、そのことによって第二液体４の打開端部８と耐衝撃式プラグのガイド・ホール１０における表面張力を増加し、使用時に粗忽することによって地面に落下された場合に、長尺状の管状ケーシング１が衝撃を受ける場合に、不揮発性の第二の液体４が長尺状の管状ケーシング１より流れ出ることを防止できる。
【００２９】
もし、前記の第二の液体１１が揮発性液体に属する場合では、図３に示すように、その第二の液体１１と前記の耐衝撃式の塞ぎ部材９との間に他の粘性物質１２を充填することによって、第二の液体１１が蒸発してしまうことを防止するようにしてもよい。
【００３０】
また、耐衝撃式の塞ぎ部材９に形成される小さいガイド・ホール１０に対し、長尺状の管状ケーシング１を湾曲または圧縮することによって、強引に打開されることができる蝋製栓体によって密封してもよい。他に、前記の長尺状の管状ケーシング１の打開端部８についても他の種の蓋のよってカバーしてもよい。
【００３１】
図４は、不揮発性液体収納用耐衝撃式塗布装置の第三の実施の形態であり、そのものには、複数種の液体３，１３，１６，１９と粘性物質５，１５，１８とを交替に前記の長尺状の管状ケーシング１内に配設するものであり、打開機構６，１４，１７，２０がそれぞれの液体の打開端部８に対し最も遠い端部に配設されている。この実施の形態においては、選択的に複数種の組合せの液体を塗布装置７の先端部へ供給でき、または選択的にそれぞれ異なる量の同一の種類の液体を塗布装置７の先端部へ供給することができる。
【００３２】
図５は、本考案の不揮発性液体収納用耐衝撃式塗布装置の第四の実施の形態であり、その中では、前記の長尺状の管状ケーシング２１の内径が密閉端部２２より打開端部２８まで漸次的に縮小され、且つ粘性物質２５を介して第一の液体２３と第二の液体２４とを隔離し、また、その長尺状の管状ケーシング２１には、その密閉端部２２に近接する打開機構２６が配設され、そのものによって包まれる液体２３，２４を長尺状の管状ケーシング２１の他の打開端部２８に付着される塗布装置２７の先端部へ放出する。この実施の形態においては、分離の機能を実現するための耐衝撃式の塞ぎ部材を使用する必要はない。また、前記の長尺状の管状ケーシング２１が大幅にその内径を縮小し、耐衝撃式プラグとしての機能を発揮でき、粗忽して地面に落下される場合に起こる破壊性を小さく形成させることができ、長尺状の管状ケーシング２１内の打開端部２８に近接する箇所の第二液体２４の表面張力を大幅に増加し、液体２４が衝撃を受ける場合に、長尺状の管状ケーシング２１の外方へ放出しにくく形成させることができるほか、前記の打開端部２８に対しては、前記の長尺状の管状ケーシング２１を湾曲または圧縮することによって強引に打開可能な蝋製栓体により密封してもよい。
【００３３】
図６は、不揮発性液体収納用耐衝撃式塗布装置の第五の実施の形態であり、その中では、前記の長尺状の管状ケーシング２９のある端部が密閉端部３０に設定され、且つその密閉端部３０近傍に打開機構３４が設けられ、且つ長尺状の管状ケーシング２９内の第一と第二の液体３１，３２が両者の間に介在される粘性物質によって隔離されるものではなく、長尺状の管状ケーシング２９の内部の二つの液体３１，３２の界面における小径部３３によってそれらの第一と第二の液体３１，３２を隔離するものであり、この小径部３３の仕様については、それらの第一と第二の液体３１，３２の界面の表面張力自身によって第一と第二の液体３１，３２の隔離を保持できるように設定すればよく、特に第一の液体３１が水液性のものに対し、第二の液体３２が油液性のものを使用する場合が好適に採用できる。
【００３４】
前記の説明においては既に多くの特徴を包含しているが、それらによって本考案の範囲を狭義的に局限するものではなく、それらは単に本考案の一部の実施可能な実施例に過ぎなく、本考案の範囲については、添付の実用新案登録請求の範囲に記載されるそれぞれの技術内容に従って定義すべきことが言うまでもないことである。
【図面の簡単な説明】
【００３５】
【図１】本考案の不揮発性液体収納用耐衝撃式塗布装置の第一の実施の形態を示す説明図である。
【図２】耐衝撃式塞ぎ部材を示す拡大図である。
【図３】本考案の不揮発性液体収納用耐衝撃式塗布装置の第二の実施の形態を示す説明図である。
【図４】本考案の不揮発性液体収納用耐衝撃式塗布装置の第三の実施の形態を示す説明図である。
【図５】本考案の不揮発性液体収納用耐衝撃式塗布装置の第四の実施の形態を示す説明図である。
【図６】本考案の不揮発性液体収納用耐衝撃式塗布装置の第五の実施の形態を示す説明図である。
【符号の説明】
【００３６】
１      長尺状の管状ケーシング
２      密閉端（部）
３      第一の液体
４      第二の液体
５      粘性物質
６      打開機構
７      塗布装置先端部
８      打開端部
９      耐衝撃式塞ぎ部材
１０    ガイド・ホール
１１    第二の液体
１２    粘性物質
１３    液体
１４    打開機構
１５    粘性物質
１６    液体
１７    打開機構
１８    粘性物質
１９    液体
２０    打開機構
２１    長尺状の管状ケーシング
２２    密閉端部
２３    第一の液体
２４    第二の液体
２５    粘性物質
２６    打開機構
２７    塗布装置
２８    打開端部
２９    長尺状の管状ケーシング
３０    密閉端部
３１    第一の液体
３２    第二の液体
３３    内径部
３４    打開機構
【図１】
0003107573.tif 000003
【図２】
0003107573.tif 000004
【図３】
0003107573.tif 000005
【図４】
0003107573.tif 000006
【図５】
0003107573.tif 000007
【図６】
0003107573.tif 000008